(57)【要約】  【目的】ユニバーサルトレイを使用してＣＤ−Ｒ等に印刷可能な記録装置において、ＣＤ−Ｒ等の印刷を行わない間に、紛失、破壊及び汚損を防止した状態でユニバーサルトレイを保管することを可能にし、ユニバーサルトレイの保管場所の必要性を無くして省スペース上の効果も同時に達成する。  【構成】記録装置本体３に着脱可能に装着されるトレイガイド６にユニバーサルトレイ１を乗せ、トレイガイドによりユニバーサルトレイを搬送しながらユニバーサルトレイ上の印刷媒体１ａに印刷する記録装置において、ユニバーサルトレイを、給紙トレイ５に代えて給紙装置２に着脱可能に装着するか、副排紙トレイ４ａに代えて排紙トレイ４に着脱可能に装着する。【選択図】                図１
2005111663.tif 000002
【特許請求の範囲】
【請求項１】
印刷媒体がセットされるユニバーサルトレイを、記録装置本体に着脱可能に装着されるトレイガイドに乗せ、該トレイガイドにより該ユニバーサルトレイを搬送しながら前記印刷媒体に印刷することが可能な記録装置において、
前記ユニバーサルトレイを給紙トレイに代えて給紙装置に着脱可能に装着することを特徴とする記録装置。
【請求項２】
印刷媒体がセットされるユニバーサルトレイを、記録装置本体に着脱可能に装着されるトレイガイドに乗せ、該トレイガイドにより該ユニバーサルトレイを搬送しながら前記印刷媒体に印刷することが可能な記録装置において、
前記ユニバーサルトレイを副排紙トレイに代えて排紙トレイに着脱可能に装着することを特徴とする記録装置。
【請求項３】
前記ユニバーサルトレイが前記排紙トレイ内に収納可能であることを特徴とする請求項２に記載の記録装置。
【請求項４】
前記ユニバーサルトレイにセットされる印刷媒体がＣＤ−Ｒであることを特徴とする請求項１〜３のいずれかに記載の記録装置。
【請求項５】
記録装置が記録手段から印刷媒体にインクを吐出して印刷を行うインクジェット記録装置であることを特徴とする請求項１〜４のいずれかに記載の記録装置。
【発明の詳細な説明】
【技術分野】
【０００１】
本発明は、印刷媒体がセットされるユニバーサルトレイを搬送しながら、該ユニバーサルトレイ上のＣＤ−Ｒ等の印刷媒体に印刷することが可能な記録装置に関する。
【背景技術】
【０００２】
記録装置として、通常の記録シート等の印刷媒体に記録する他に、印刷媒体がセットされるユニバーサルトレイを搬送しながら、該ユニバーサルトレイ上のＣＤ−Ｒ等の印刷媒体に印刷することが可能な記録装置（印刷装置）が使用されている。従来のこの種の記録装置においては、トレイを使用して印刷を行う場合、記録装置本体外部に保管されているトレイにＣＤ−Ｒ等の印刷媒体をセットし（取り付け）るとともに、記録装置本体にトレイガイドを装着し、そして、印刷媒体がセットされたトレイをトレイガイドに挿入し、トレイガイドによって記録部を通してトレイを搬送しながら該トレイ上の印刷媒体に印刷していくように構成されている。印刷が終了すると、ユーザーはＣＤ−Ｒ（印刷媒体）を抜き取るとともに、トレイを記録装置本体以外のところに収納、保管していた。
【発明の開示】
【発明が解決しようとする課題】
【０００３】
しかしながら、上記従来例においては、ユーザーは、トレイを収納するに際し、トレイの紛失、トレイの破壊、トレイの汚損などが生じないように、細心の注意力を払って収納保管する必要があった。さらに、トレイを保管するための場所（スペース）を別途確保する必要もあり、省スペースが困難であるという不都合もあった。
【０００４】
本発明はこのような技術的課題に鑑みてなされたものであり、本発明の目的は、ＣＤ−Ｒ等に印刷するためのユニバーサルトレイを使用可能な記録装置において、ＣＤ−Ｒ等の印刷を行わない時においても、紛失、破壊あるいは汚損を防止した状態でユニバーサルトレイを保管することができ、また、ユニバーサルトレイの保管場所を確保する必要を無くして省スペース上の課題も同時に解決できる構成を提供することである。
【課題を解決するための手段】
【０００５】
本発明（請求項１）は、上記目的を達成するため、印刷媒体がセットされるユニバーサルトレイを、記録装置本体に着脱可能に装着されるトレイガイドに乗せ、該トレイガイドにより該ユニバーサルトレイを搬送しながら前記印刷媒体に印刷することが可能な記録装置において、前記ユニバーサルトレイを給紙トレイに代えて給紙装置に着脱可能に装着することを特徴とする。
【０００６】
他の本発明（請求項２）は、上記目的を達成するため、印刷媒体がセットされるユニバーサルトレイを、記録装置本体に着脱可能に装着されるトレイガイドに乗せ、該トレイガイドにより該ユニバーサルトレイを搬送しながら前記印刷媒体に印刷することが可能な記録装置において、前記ユニバーサルトレイを副排紙トレイに代えて排紙トレイに着脱可能に装着することを特徴とする。
【発明の効果】
【０００７】
本発明（請求項１）によれば、ユニバーサルトレイを給紙トレイに代えて給紙装置に着脱可能に装着する構成とするので、ＣＤ−Ｒ等に印刷するためのユニバーサルトレイを使用可能な記録装置において、ＣＤ−Ｒ等の印刷を行わない時においても、紛失、破壊あるいは汚損を防止した状態でユニバーサルトレイを保管することができ、また、ユニバーサルトレイの保管場所を確保する必要を無くして省スペース上の課題も同時に解決できる構成が提供される。
【０００８】
他の本発明（請求項２）によれば、ユニバーサルトレイを副排紙トレイに代えて排紙トレイに着脱可能に装着する構成とするので、ＣＤ−Ｒ等に印刷するためのユニバーサルトレイを使用可能な記録装置において、ＣＤ−Ｒ等の印刷を行わない時においても、紛失、破壊あるいは汚損を防止した状態でユニバーサルトレイを保管することができ、また、ユニバーサルトレイの保管場所を確保する必要を無くして省スペース上の課題も同時に解決できる構成が提供される。
【発明を実施するための最良の形態】
【０００９】
以下、図面を参照して本発明の実施の形態を具体的に説明する。なお、各図面を通して同一符号は同一又は対応部分を示すものである。図３は本発明を実施するのに好適な記録装置を示す模式的斜視図である。図３において、記録装置の本体３には、記録用紙等の印刷媒体を供給するための給紙装置２が取り付けられており、印刷媒体は給紙装置２の給紙トレイ５上に積載（載置）されており、記録時には、この印刷媒体が給紙手段により１枚ずつ記録部へ供給され、記録部で記録（印刷）された印刷媒体は本体３から排出される。本体３には排紙トレイ４が取り付けられており、該排紙トレイ４には副排紙トレイ４ａが装着されており、本体３から排出された印刷媒体が排紙トレイ４及び副排紙トレイ４ａによって支持されることで印刷（記録）動作が完了する。
【００１０】
上記記録装置においては、サイズが長い印刷媒体などのように大きく変形しやすいものでは重力で下方に垂れやすいが、このような印刷媒体が下方へ垂れないようにするため、前記給紙トレイ５を用いて印刷媒体を支持することが一般的に行われている。また、排紙側においても、排出された印刷媒体を落ち込まない状態で支持したり、連続印刷に際し整列状態で印刷媒体を保持するために、図３に示すように、本体３の排紙口に対して排紙トレイ４をほぼ水平に取り付けることが行われている。さらに、長い印刷媒体の場合にも落ち込まない状態で保持する目的で、排紙トレイ４に引き出し可能に設けられた延長用の副排紙トレイ４ａを使用することも行われている。
【００１１】
図４は本発明を実施するのに好適な記録装置であって、通常の記録シートに加えて、ユニバーサルトレイを用いてＣＤ−Ｒ等の印刷媒体にも印刷できるように構成された記録装置の、ユニバーサルトレイ上の印刷媒体に印刷しているときの状態を本体カバーを省いて示す模式的斜視図である。図４において、ユニバーサルトレイ１上にはＣＤ−Ｒ等の印刷媒体１ａがセット（保持）されており、記録装置の本体３にはこのユニバーサルトレイ１を搬送するためのトレイガイド（ユニバーサルトレイガイド）６が装着されている。すなわち、図４の記録装置は、図３で説明したような通常の印刷媒体としての記録用紙等の記録シートに印刷するための構成に加えて、印刷媒体１ａがセットされるユニバーサルトレイ１を記録装置本体３に着脱可能に装着されるトレイガイド６に乗せ、該トレイガイド６により該ユニバーサルトレイ１を記録部を通して搬送しながら該印刷媒体１ａに印刷することができるように構成されている。
【００１２】
次に、図４を参照して、ユニバーサルトレイ１を用いてＣＤ−Ｒに印刷する場合の動作について説明する。図４において、印刷可能なＣＤ−Ｒに印刷を行う場合、ユニバーサルトレイ１にＣＤ−Ｒ（印刷媒体）１ａをセットするとともに、トレイガイド６を記録装置本体３に装着する。そして、上記印刷媒体１ａがセットされたユニバーサルトレイ１をトレイガイド６に乗せ、手動もしくは給送手段（不図示）によって該ユニバーサルトレイ１を本体３の内部（記録部より奥の部位）に向け矢印Ａ方向に引き込む。次いで、矢印Ａと逆方向（通常の記録シートに記録する場合の搬送方向）にユニバーサルトレイ１を搬送しながら該トレイ１上のＣＤ−Ｒ１ａの表面に印刷を行う。印刷が終了したＣＤ−Ｒ１ａはユニバーサルトレイ１と共にトレイガイド６の上に排出される。これによって、ＣＤ−Ｒ（印刷媒体）１ａに対する印刷が完了する。
【００１３】
図３及び図４において、ＣＤ−Ｒ（印刷媒体）１ａに対する印刷が終了した後、通常の記録用紙等を印刷媒体として印刷を行う場合は、トレイガイド６及びユニバーサルトレイ１を記録装置本体３から取り外し、図３に示すように給紙トレイ５を装着するとともに、必要に応じて排紙トレイ４を装着した後、記録用紙等の印刷媒体を給紙トレイ５にセットして通常の印刷を行う。
【００１４】
なお、図３及び図４に例示する記録装置（記録手段）は、記録手段から印刷媒体にインクを吐出して印刷を行うインクジェット記録装置（インクジェット記録手段）である。詳しくは、前記記録手段としての記録ヘッドは、熱エネルギーを利用して吐出口からインクを吐出するインクジェット記録手段であって、熱エネルギーを発生するための電気熱変換体を備えたものである。また、前記記録ヘッドは、前記電気熱変換体によって印加される熱エネルギーにより生じる膜沸騰による気泡の成長、収縮によって生じる圧力変化（状態変化）を利用して吐出口列を構成する複数の吐出口から選択的にインクを吐出させ、印刷（記録）を行うものである。
【実施例１】
【００１５】
図１は本発明を適用した記録装置の実施例１の模式的斜視図である。図１において、１はユニバーサルトレイ、２は記録装置に設けられた給紙装置、３は記録装置本体、４は記録装置に設けられた排紙トレイを示し、本実施例の記録装置は前述の図３及び図４で説明した構成の記録装置をベースとして構成されている。そこで、図１の記録装置は、ＣＤ−Ｒ等の印刷媒体１ａがセットされるユニバーサルトレイ１を、記録装置本体３に着脱可能に装着されるトレイガイド６に乗せ、トレイガイド６によりユニバーサルトレイ１を搬送しながら印刷媒体１ａに印刷することが可能な構成において、ユニバーサルトレイ１を給紙トレイ５に代えて給紙装置２に着脱可能に装着するように構成されている。
【００１６】
図１の実施例１によれば、図３に示すような給紙トレイ５を設ける必要がない。すなわち、図１に示すように、ユニバーサルトレイ１を使用してＣＤ−Ｒ等に印刷した後、このユニバーサルトレイ１を外して給紙装置２に装着する。この場合、印刷媒体１ａは、ユニバーサルトレイ１から取り出しても良く、また、図示のようにユニバーサルトレイ１にセットしたままにしておいても良い。そして、給紙装置２及び該給紙装置に装着された（差し込まれた）ユニバーサルトレイ１の上に記録用紙等の通常の印刷媒体を載置する。この載置する印刷媒体の数は１枚でも複数枚でも良く、通常の記録装置の場合と同様に所望枚数の記録用紙等を積載することができる。そして、給紙装置２内の給紙ローラ（不図示）等から成る給紙手段によって記録シートを本体３内に供給し、印刷を行う。その他の構成及び動作は図３の場合と実質的に同じである。
【実施例２】
【００１７】
図２は本発明を適用した記録装置の実施例２の模式的斜視図である。図２において、１はユニバーサルトレイ、２は記録装置に設けられた給紙装置、３は記録装置本体、４は記録装置に設けられた排紙トレイを示し、本実施例の記録装置も前述の図３及び図４で説明した構成の記録装置をベースとして構成されている。そこで、図２の記録装置は、ＣＤ−Ｒ等の印刷媒体１ａがセットされるユニバーサルトレイ１を、記録装置本体３に着脱可能に装着されるトレイガイド６に乗せ、トレイガイド６によりユニバーサルトレイ１を搬送しながら印刷媒体１ａに印刷することが可能な構成において、ユニバーサルトレイ１を副排紙トレイ４ａに代えて排紙トレイ４に着脱可能に装着するように構成されている。
【００１８】
図２の実施例２によれば、図３に示すような副排紙トレイ４ａを設ける必要がない。すなわち、図２に示すように、ユニバーサルトレイ１を使用してＣＤ−Ｒ等に印刷した後、このユニバーサルトレイ１を外して排紙トレイ４に装着する。この場合、印刷媒体１ａは、ユニバーサルトレイ１から取り出しても良く、また、図示のようにユニバーサルトレイ１にセットしたままにしておいても良い。この状態において、ユニバーサルトレイ１は副排紙トレイ４ａ（図３）として機能する。そして、記録部で印刷された記録用紙などの通常の印刷媒体（記録シート）が本体３から排出されてきたとき、印刷された印刷媒体を記録装置から落下もしくは垂れ下がらせることなく、排紙トレイ４及び副排紙トレイ４ａの上に整列状態で保持することが可能である。
【００１９】
また、図２の実施例２においては、印刷媒体の長さが短く、副排紙トレイを必要としない場合には、副排紙トレイ４ａに代えて装着されるユニバーサルトレイ１は排紙トレイ４の内部に収納することも可能である。つまり、本実施例では、ユニバーサルトレイ１は、排紙トレイ４に対して、引き出し収納可能に装着される。こうして、排紙トレイ４に対して引き出し差し込みすることができ、記録用紙等の印刷媒体の長さに合わせて延長、収納（短縮）可能な排紙トレイ及び副排紙トレイから成るトレイ構造が構成されている。もちろん、前述したように、ユニバーサルトレイ１は排紙トレイ４に対して着脱自在に装着されている。その他の構成及び動作は、図１もしくは図３の場合と実質的に同じである。
【００２０】
なお、以上の実施の形態では、記録装置がインクジェット記録装置である場合を例に挙げて説明したが、本発明は、ワイヤドット式、感熱式、レーザービーム式の記録装置など、他の記録方式を用いる記録装置に対しても同様に適用することができ、同様の作用効果を達成するできるものである。また、本発明は、単色記録を行う記録装置、１個または複数個の記録ヘッドを用いて複数の異なる色で記録するカラー記録装置、同一色彩で異なる濃度の複数濃度で記録する階調記録装置、さらには、これらを組み合わせた記録装置などの場合にも、同様に適用することができ、同様の効果を達成しうるものである。また、本発明は、記録手段としての記録ヘッドを主走査方向に移動させながら記録するシリアル型記録装置、あるいは、被記録材の全幅または一部をカバーする長さのラインタイプの記録ヘッドを用いて副走査のみで記録するライン記録方式（ライン型記録装置）の場合にも、同様に適用することができ、同様の効果を達成し得るものである。
【００２１】
以上説明した実施例１によれば、ＣＤ−Ｒ等に印刷するためのユニバーサルトレイを使用可能な記録装置において、ユニバーサルトレイを給紙トレイに代えて給紙装置に着脱可能に装着する構成としたので、ＣＤ−Ｒ等の印刷を行わない時においても、ユニバーサルトレイを紛失、破壊あるいは汚損から防止した状態で保管することができ、また、ユニバーサルトレイの保管場所を確保する必要を無くして省スペース上の課題も同時に解決することができる。
【００２２】
以上説明した実施例２によれば、ＣＤ−Ｒ等に印刷するためのユニバーサルトレイを使用可能な記録装置において、ユニバーサルトレイを副排紙トレイに代えて排紙トレイに着脱可能に装着する構成としたので、ＣＤ−Ｒ等の印刷を行わない時においても、ユニバーサルトレイを紛失、破壊あるいは汚損から防止した状態で保管することができ、また、ユニバーサルトレイの保管場所を確保する必要を無くして省スペース上の課題も同時に解決することができる。
【図面の簡単な説明】
【００２３】
【図１】本発明を適用した記録装置においてユニバーサルトレイを給紙装置に装着した状態を示す模式的斜視図である。
【図２】本発明を適用した記録装置においてユニバーサルトレイを排紙トレイに装着した状態を示す模式的斜視図である。
【図３】本発明を実施するのに好適な記録装置を示す模式的斜視図である。
【図４】本発明を実施するのに好適な記録装置においてユニバーサルトレイを用いて印刷している状態を本体カバーを省いて示す模式的斜視図である。
【符号の説明】
【００２４】
１        ユニバーサルトレイ
１ａ      ＣＤ−Ｒ等の印刷媒体
２        給紙装置
３        記録装置本体
４        排紙トレイ
４ａ      副排紙トレイ
５        給紙トレイ
６        トレイガイド
【図１】
2005111663.tif 000003
【図２】
2005111663.tif 000004
【図３】
2005111663.tif 000005
【図４】
2005111663.tif 000006